(57)【要約】【課題】本発明は、タッチ機能を有する電子黒板装置及びそのタッチ型チョークを提供する。【解決手段】かかるタッチ型チョークは、チョーク本体及び電気伝導体を含み、前記電気伝導体は、前記チョーク本体に配置され、且つ前記チョーク本体とともに消耗し、前記チョーク本体は、相対する両端及び前記両端の間に位置する外表面を有し、前記電気伝導体は、前記チョーク本体の前記両端の間に配置され、且つ少なくとも部分的に前記外表面の外に位置する。【選択図】図１
2020026133.tif 000002
【特許請求の範囲】
【請求項１】
チョーク本体及び電気伝導体を含むタッチ型チョークであって、
前記電気伝導体は、前記チョーク本体に配置され、且つ前記チョーク本体とともに消耗し、
前記チョーク本体は、相対する両端及び前記両端の間に位置する外表面を有し、
前記電気伝導体は、前記チョーク本体の前記両端の間に配置され、且つ前記電気伝導体は、少なくとも部分的に前記外表面の外に位置する、タッチ型チョーク。
【請求項２】
請求項1に記載のタッチ型チョークであって、
前記電気伝導体は、導電層を含み、前記導電層は、少なくとも、前記外表面を包み覆う、タッチ型チョーク。
【請求項３】
請求項2に記載のタッチ型チョークであって、
前記電気伝導体は、前記導電層内に混合される顔料をさらに含む、タッチ型チョーク。
【請求項４】
請求項1に記載のタッチ型チョークであって、
前記電気伝導体は、前記チョーク本体内に混合される導電粉を含む、タッチ型チョーク。
【請求項５】
タッチ型チョーク及び電子黒板を含む電子黒板装置であって、
前記タッチ型チョークは、チョーク本体及び電気伝導体を含み、
前記電気伝導体は、前記チョーク本体に配置され、且つ前記チョーク本体とともに消耗し、
前記チョーク本体は、相対する両端及び前記両端の間に位置する外表面を含み、
前記電気伝導体は、前記チョーク本体の前記両端の間に配置され、且つ前記電気伝導体は、少なくとも部分的に前記外表面の外に位置し、
前記電子黒板は、黒板層及び容量式タッチセンシング層を含み、
前記黒板層は、相反する正面及び背面を有し、
前記タッチ型チョークは、前記黒板層の前記正面に書くために用いられ、
前記容量式タッチセンシング層は、前記背面に配置され、且つ前記タッチ型チョークの前記正面における筆跡をセンシングするために用いられる、電子黒板装置。
【請求項６】
請求項5に記載の電子黒板装置であって、
前記容量式タッチセンシング層に電気接続される処理素子をさらに含む、電子黒板装置。
【請求項７】
請求項5に記載の電子黒板装置であって、
電子黒板消しをさらに含み、
前記電子黒板消しは、黒板消し本体及び複数の導電素子を含み、
前記複数の導電素子は、間隔を置いて前記黒板消し本体に配置される、電子黒板装置。
【請求項８】
請求項5に記載の電子黒板装置であって、
前記電気伝導体は、導電層を含み、前記導電層は、少なくとも、前記外表面を包み覆う、電子黒板装置。
【請求項９】
請求項8に記載の電子黒板装置であって、
前記電気伝導体は、前記導電層内に混合される顔料をさらに含む、電子黒板装置。
【請求項１０】
請求項5に記載の電子黒板装置であって、
前記電気伝導体は、前記チョーク本体内に混合される導電粉を含む、電子黒板装置。
【発明の詳細な説明】
【技術分野】
【０００１】
本発明は、黒板装置に関し、特に、タッチ機能を有する電子黒板装置及びそのタッチ型チョークに関する。
【背景技術】
【０００２】
従来の黒板装置について言えば、使用者が一般的なチョークを用いて従来の黒板に授業の内容を書いて説明するときに、受講者がその説明を聞きながら、書かれた内容をメモする必要があり、そのため、しばしば、集中することができないので、重点な内容を把握することができず、学習の効果を低下させることがある。また、個人差によって受講者がメモする速度も異なるため、使用者は、待つことが原因で暇な状態に入り、時間の浪費をもたらすことがある。
【０００３】
電子白板（電子ホワイトボード）は、書かれた内容をタイムリーにデジタル化する機能を有するから、上述のような欠点を解決することができる。しかし、電子白板自体が光を反射することができるため、受講者がそれを長時間見ると、目に不快感を与えてしまう恐れがある。また、従来の黒板装置の使用に慣れている使用者にとっては、電子白板を使用するときに、電子白板の使用に適応するために余計な時間がかかり、なかなかうまく行かない場合もある。
【０００４】
なお、この“背景技術”の部分は、本発明の内容への理解を助けるためだけのものであるため、この“背景技術”の部分に開示されている内容は、当業者に知られていない技術を含む可能性がある。よって、この“背景技術”の部分に開示されている内容は、該内容、又は、本発明の１つ又は複数の実施例が解決しようとする課題が本発明出願前に既に当業者に周知されていることを意味しない。
【発明の概要】
【発明が解決しようとする課題】
【０００５】
本発明の目的は、従来のチョークのライティング（writing）機能及びタッチペンの機能を有するタッチ型チョークを提供することにある。
【０００６】
本発明のもう１つの目的は、従来のライティング機能を有るだけでなく、書かれた内容をタイムリーにデジタル化する機能も有する電子黒板装置を提供することにある。
【０００７】
本発明の他の目的及び利点は、本発明に開示されている技術的特徴からさらに理解することができる。
【課題を解決するための手段】
【０００８】
上述の１つ又は一部又は全部の目的或いは他の目的を達成するために、本発明の一実施例によれば、タッチ型チョークが提供され、それは、チョーク本体及び電気伝導体を含み、そのうち、電気伝導体は、チョーク本体に配置され、且つチョーク本体とともに消耗し、そのうち、チョーク本体は、相対する両端及びこの両端の間に位置する外表面を有し、電気伝導体は、チョーク本体の両端の間に配置され、且つ電気伝導体は、少なくとも部分的にチョーク本体の外表面の外に位置する。
【０００９】
また、上述の１つ又は一部又は全部の目的或いは他の目的を達成するために、本発明の一実施例によれば、電子黒板装置が提供され、それは、電子黒板及び上述のタッチ型チョークを含む。電子黒板は、黒板層及び容量式タッチセンシング層を含み、黒板層は、相対する正面及び背面を有し、タッチ型チョークは、黒板層の正面に書くために用いられ、容量式タッチセンシング層は、背面に配置され、且つタッチ型チョークの正面における筆跡をセンシングするために用いられる。
【００１０】
本発明の実施例におけるタッチ型チョークは、チョーク本体及び導電層を有するため、従来のチョークの機能を有するのみならず、タッチペンの機能も有する。また、本発明の実施例における電子黒板装置は、電子黒板がタッチセンシング層を有するから、タッチ型チョークが電子黒板の正面に書くときの筆跡をセンシングすることができ、これにより、書かれた内容をデジタル化するに有利である。
【００１１】
本発明の上述の特徴及び利点をより明らかにするために、以下、実施例を挙げて、添付した図面を参照することにより、詳細に説明する。
【図面の簡単な説明】
【００１２】
【図１】本発明の一実施例におけるタッチ型チョークを示す図である。
【図２】本発明の他の実施例におけるタッチ型チョークを示す図である。
【図３】本発明の一実施例における電子黒板装置を示す図である。
【図４】本発明の一実施例における電子黒板装置の電子黒板消しを示す図である。
【発明を実施するための形態】
【００１３】
本発明の上述及び他の技術的内容、特徴、機能及び効果は、添付した図面に基づく以下のような好ましい実施例における詳細な説明により明確になる。なお、以下の実施例に言及されている方向についての用語、例えば、上、下、左、右、前、後などは、添付した図面の方向に過ぎない。よって、使用されている方向の用語は、本発明を説明するためだけのものであり、本発明を限定するためのものではない。
【００１４】
図1は、本発明の一実施例におけるタッチ型チョークを示す図である。図1に示すように、本実施例におけるタッチ型チョーク100は、チョーク本体110及び電気伝導体120を含み、電気伝導体120は、チョーク本体110に配置される。チョーク本体110の材質（材料）は、例えば、炭酸カルシウム又は硫酸カルシウムを含み、チョーク本体110は、相対する両端112、113を有し、チョーク本体110の両端112、113の間には、使用者の把持に供する外表面111があり、例えば、チョーク本体110は、円柱体であり、両端112、113の間の外表面111は、使用者の把持に供する円柱面である。本実施例における電気伝導体120は、例えば、導電層121を含み、この導電層121は、少なくとも、チョーク本体110の両端の間の外表面111を包み覆う。即ち、導電層121は、チョーク本体110の外表面111を包み覆うだけでなく、チョーク本体110の両端112、113、又は、両端112、113のうちの任意の一端も包み覆う。図1は、導電層121が外表面111を包み覆うことを例とする。導電層121の材質（材料）は、銀ペースト（Silver  paste）及び石墨（graphite）のうちの少なくとも１つを含むが、本発明は、これに限定されない。チョーク本体110は、書くときに摩擦により次第に消耗し、電気伝導体120も、チョーク本体110とともに、使用するときに消耗する。
【００１５】
チョーク本体110の色は、白色、黄色、赤色、緑色、青色又は他の色であっても良い。導電層121がチョーク本体110の外表面111を包み覆うので、使用者がチョーク本体110の色を識別しやすいために、電気伝導体120は、電気伝導体120の中に混合されて色を有する導電層121を形成する顔料（図示せず）を含んでも良い。選択される顔料は、例えば、チョーク本体110の色と同であり、これにより、使用者がタッチ型チョーク100の色を識別するに便利である。また、タッチ型チョーク100を用いて黒板に書くときに、消耗された導電層121も、消耗されたチョーク本体110と共に黒板に付着して黒板に筆跡を残すことがあるため、選用される顔料がチョーク本体110の色と同じであるときに、タッチ型チョーク100により書かれた内容の色は一致するようになる。
【００１６】
図2は、本発明の他の実施例におけるタッチ型チョークを示す図である。図2に示すように、本実施例におけるタッチ型チョーク100aは、上述のタッチ型チョーク100に類似しているが、主な相違点は、本実施例における電気伝導体120aが、例えば、導電粉121aを含み、導電粉121aがチョーク本体110の中に均一に混合されることにある。導電粉121aの材質（材料）は、銀ペースト及び石墨のうちの少なくとも１つを含むが、本発明は、これに限定されない。
【００１７】
図3は、本発明の一実施例における電子黒板装置を示す図である。図3に示すように、本実施例における電子黒板装置200は、タッチ型チョーク100及び電子黒板210を含み、そのうち、タッチ型チョーク100は、図2のタッチ型チョーク100aにより置換されても良い。電子黒板210は、黒板層211及び容量式タッチセンシング層220を含む。黒板層211は、相対する正面212及び背面213を有する。黒板層211の正面212の色は、ダークグリーン又は光を反射し難い色であり、これにより、見る人の目に疲労感を与えることがない。容量式タッチセンシング層220は、黒板層211の背面213に配置される。本実施例における容量式タッチセンシング層220は、例えば、粘着層230により黒板層211の背面213に粘着される。タッチ型チョーク100が導電層121を有するため、使用者がタッチ型チョーク100を握ってタッチ型チョーク100を用いて黒板層211の正面212に書くときに、容量式タッチセンシング層220は、タッチ型チョーク100の導電層121をセンシングしてセンシング信号を生成することができ、容量式タッチセンシング層220は、センシング信号に基づいて、且つ黒板層211の正面212の筆跡に対応して、電子筆跡を生成することができる。
【００１８】
本実施例における電子黒板装置200は、例えば、処理素子221をさらに含み、処理素子221は、電子黒板210の容量式タッチセンシング層220に電気接続され、容量式タッチセンシング層220からのセンシング信号を受信するために用いられる。本実施例では、処理素子221は、例えば、外部のコンピュータ222に接続されても良い。タッチ型チョーク100が容量式タッチセンシング層220においてセンシング信号に対応する電子筆跡を生成するときに、コンピュータ222は、電子筆跡をスクリーン（図示せず）に同期表示させるとともに、電子筆跡を記憶することもできる。このように、書かれた内容をデジタル化することで、受講者が黒板層211の正面212に書かれた内容をメモすることにより集中することができない問題を解消することができる。
【００１９】
本実施例における電子黒板装置200は、電子黒板消しをさらに含み、電子黒板消しは、黒板層211の正面212における筆跡及び上述の電子筆跡を消すために用いられる。図4は、本発明の一実施例における電子黒板装置の電子黒板消しを示す図である。図3及び図4に示すように、本実施例における電子黒板消し300は、黒板消し本体310及び複数の導電素子320を含む。本実例では、３つの導電素子320を例とし、これらの導電素子320は、間隔を置いて黒板消し本体310の内部に配置される。具体的には、黒板消し本体310は、消し面311を有し、消し面311は、タッチ型チョーク100により図3の黒板層211の正面212に書かれた筆跡を消すために用いられ、これらの３つの導電素子320は、例えば、消し面311に平行であり、且つ黒板消し本体310の内部に配置される。電子黒板消し300を用いて黒板層211の正面212において消し操作を行うときに、図3における容量式タッチセンシング層220は、これらの導電素子320の移動軌跡をセンシングすることができる。これらの導電素子320の相対位置が固定したものであるので、処理素子221は、これが消し動作であると判断することができ、これにより、これらの導電素子320の黒板層211の正面212における移動軌迹に基づいて、移動軌迹に対応する電子筆跡を消去することができる。なお、消し範囲については、異なる定義方法があっても良い。例えば、消し範囲は、これらの導電素子320の間の繋がり線により形成される三角形の範囲R1と定義されても良く、又は、円形の範囲R2であっても良く、この円形の範囲R2は、例えば、三角形の範囲R1の幾何中心を円心とする。
【００２０】
以上のことから、本発明の実施例におけるタッチ型チョークは、チョーク本体及び導電層を有するので、従来のチョークの機能を有するだけでなく、タッチペンの機能も有する。また、本発明の実施例における電子黒板装置は、電子黒板が容量式タッチセンシング層を有するため、タッチ型チョークが電子黒板の正面に書くときの筆跡をセンシングすることができ、これにより、書かれた内容をデジタル化するに有利である。
【００２１】
本発明は、前述した好適な実施例に基づいて以上のように開示されたが、前述した好適な実施例は、本発明を限定するためのものでなく、当業者は、本発明の思想と範囲を離脱しない限り、本発明に対して些細な変更と潤色を行うことができるので、本発明の保護範囲は、添付した特許請求の範囲に定まったものを基準とする。また、本発明の何れの実施例又は特許請求の範囲は、本発明に開示された全ての目的又は利点又は特徴を達成する必要がない。また、要約の一部と発明の名称は、文献の検索を助けるためのみのものであり、本発明の権利範囲を限定するものでない。また、本明細書又は特許請求の範囲に言及されている「第一」、「第二」などの用語は、要素（element）に名前を付け、又は、異なる実施例又は範囲を区別するためのものみであり、要素の数量上での上限又は下限を限定するためのものでない。
【符号の説明】
【００２２】
100、100a：タッチ型チョーク
110：チョーク本体
111：外表面
112、113：両端
120、120a：電気伝導体
121：導電層
121a：導電粉
200：電子黒板装置
210：電子黒板
211：黒板層
212：正面
213：背面
220：容量式タッチセンシング層
221：処理素子
222：コンピュータ
230：粘着層
300：電子黒板消し
310：黒板消し本体
311：消し面
320：導電素子
R1：三角形の範囲
R2：円形の範囲
【図１】
2020026133.tif 000003
【図２】
2020026133.tif 000004
【図３】
2020026133.tif 000005
【図４】
2020026133.tif 000006